(57)【要約】【課題】ＰＭフィルタ中に堆積するアッシュ量を簡易に、且つ、正確に推定することを可能とする推定装置を提供すること。【解決手段】内燃機関１０の排気通路３０内に配設されたＰＭフィルタ４２に堆積するアッシュ量を推定する推定装置４６であって、ＰＭフィルタ４２の前後差圧を検出する差圧センサの検出値に基づいて、ＰＭフィルタ４２に堆積するＰＭ堆積量を推定する第１のＰＭ量推定部４６ａと、内燃機関１０の運転状態の推移に基づいて、ＰＭフィルタ４２に堆積するＰＭ堆積量を推定する第２のＰＭ量推定部４６ｂと、第１のＰＭ量推定部４６ａにより推定されるＰＭ堆積量と、第２のＰＭ量推定部４６ｂにより推定されるＰＭ堆積量と、の差分値に基づいて、ＰＭフィルタ４２に堆積するアッシュ量を推定するアッシュ量推定部４６ｄと、を備える。【選択図】図２
2020051375.tif 000002
【特許請求の範囲】
【請求項１】
内燃機関の排気通路内に配設されたフィルタに堆積するアッシュ量を推定する推定装置であって、
前記フィルタの前後差圧を検出する差圧センサの検出値に基づいて、前記フィルタに堆積する微粒子状物質の堆積量を推定する第１の微粒子状物質量推定部と、
前記内燃機関の運転状態の推移に基づいて、前記フィルタに堆積するＰＭ堆積量を推定する第２の微粒子状物質量推定部と、
前記第１の微粒子状物質量推定部により推定される微粒子状物質の堆積量と、前記第２の微粒子状物質量推定部により推定される微粒子状物質の堆積量と、の差分値に基づいて、前記フィルタに堆積するアッシュ量を推定するアッシュ量推定部と、
を備える推定装置。
【請求項２】
前記アッシュ量推定部は、前記フィルタの再生が完了した時点において、前記第１の微粒子状物質量量推定部及び前記第２の微粒子状物質量量推定部それぞれにより推定される微粒子状物質の堆積量に基づいて、前記フィルタに堆積するアッシュ量を推定する
請求項１に記載の推定装置。
【請求項３】
前記アッシュ量推定部は、前記フィルタに堆積するアッシュ量が所定の閾値を超えている場合、その旨を報知する
請求項１又は２に記載の推定装置。
【請求項４】
請求項１乃至３のいずれか一項に記載の推定装置を備える車両。
【発明の詳細な説明】
【技術分野】
【０００１】
本開示は、推定装置、及び車両に関する。
【背景技術】
【０００２】
一般に、内燃機関の排気通路には、排気ガスに含まれる微粒子状物質（Particulate Matter：以下、「ＰＭ」と称する）を捕集するＰＭフィルタ等の排気浄化装置が設けられている。
【０００３】
この種のＰＭフィルタは、捕集できるＰＭ量に上限があるため、ＰＭフィルタ中のＰＭを燃焼除去する再生が行われている（例えば、特許文献１を参照）。
【０００４】
ＰＭフィルタを再生する際には、一般に、内燃機関の運転状態を変更して、排気ガスを高温化し（例えば、約６００℃）、これにより、ＰＭフィルタを加熱し、当該ＰＭフィルタ中のＰＭを、排気ガス中のＯ２を用いて燃焼除去する（以下、「強制再生」と称する）。排気ガスを高温化する手法としては、例えば、インジェクタから噴射する燃料たるＨＣの噴射量を増加させ、ＰＭフィルタの前段に配設され又はＰＭフィルタに担持された酸化触媒にて当該ＨＣを酸化し、酸化触媒で発生するＨＣ酸化熱を利用する方法等が用いられる。
【先行技術文献】
【特許文献】
【０００５】
【特許文献１】特開２０１５−１７２３４１号公報
【発明の概要】
【発明が解決しようとする課題】
【０００６】
ところで、この種のＰＭフィルタには、車両の走行距離や走行時間が長くなるにつれて、煤成分のＰＭの堆積だけでなく、排気ガスに含まれるエンジンオイルの成分（例えば、ＣａＳＯ４）に起因するアッシュ（灰状物質）が堆積することが知られている。
【０００７】
かかるアッシュは、ＰＭを強制再生する際にも除去されず、ＰＭフィルタ中に堆積し続ける。ＰＭフィルタ中に堆積するアッシュは、ＰＭと同様に、圧力損失を生じさせるため、堆積量が増加するにつれてＰＭフィルタにおける圧力損失の増大を引き起こし、燃費の悪化を引き起こすという問題がある。
【０００８】
そのため、通常、アッシュが堆積した場合には、車両の搭乗者にＰＭフィルタの交換時期又はアッシュ洗浄時期を、報知することが行われている。かかる観点から、ＰＭフィルタに堆積するアッシュ量を推定する要請がある。
【０００９】
本開示は、上記の問題点に鑑みてなされたもので、ＰＭフィルタ中に堆積するアッシュ量を簡易に、且つ、正確に推定することを可能とする推定装置、及び車両を提供することを目的とする。
【課題を解決するための手段】
【００１０】
前述した課題を解決する主たる本開示は、
内燃機関の排気通路内に配設されたフィルタに堆積するアッシュ量を推定する推定装置であって、
前記フィルタの前後差圧を検出する差圧センサの検出値に基づいて、前記フィルタに堆積する微粒子状物質の堆積量を推定する第１の微粒子状物質量推定部と、
前記内燃機関の運転状態の推移に基づいて、前記フィルタに堆積するＰＭ堆積量を推定する第２の微粒子状物質量推定部と、
前記第１の微粒子状物質量推定部により推定される微粒子状物質の堆積量と、前記第２の微粒子状物質量推定部により推定される微粒子状物質の堆積量と、の差分値に基づいて、前記フィルタに堆積するアッシュ量を推定するアッシュ量推定部と、
を備える推定装置である。
【００１１】
又、他の局面では、
上記の推定装置を備える車両である。
【発明の効果】
【００１２】
本開示に係る推定装置によれば、ＰＭフィルタ中に堆積するアッシュ量を簡易に、且つ、正確に推定することが可能である。
【図面の簡単な説明】
【００１３】
【図１】一実施形態に係る車両の構成を示す図
【図２】一実施形態に係るＥＣＵの構成を示すブロック図
【図３】一実施形態に係る第１のＰＭ量推定部及び第２のＰＭ量推定部それぞれにより推定されるＰＭ堆積量の推移を示す図
【図４】一実施形態に係るＥＣＵの動作を示すフローチャート
【発明を実施するための形態】
【００１４】
以下に添付図面を参照しながら、本開示の好適な実施形態について詳細に説明する。尚、本明細書及び図面において、実質的に同一の機能を有する構成要素については、同一の符号を付することにより重複説明を省略する。
【００１５】
［車両の構成］
以下、図１を参照して、一実施形態に係る推定装置の構成について説明する。本実施形態では、本発明の推定装置を、ディーゼルエンジン車両に適用した態様ついて説明する。
【００１６】
図１は、本実施形態に係る車両１の構成を示す図である。
【００１７】
本実施形態に係る車両１は、エンジン１０、吸気通路２０、排気通路３０、エアクリーナ２１、ターボチャージャ２２、吸気スロットルバルブ２３、ＥＧＲ装置３１、及び、排気浄化装置４０等を含んで構成される。
【００１８】
エンジン１０は、燃焼室及びインジェクタ（図示せず）等を含んで構成される。エンジン１０は、燃焼室内で、空気の吸気行程、空気の圧縮行程、燃焼ガスの膨張行程、及び燃焼ガスの排気行程が繰り返し行われることよって、車両１の動力を生成する。
【００１９】
エンジン１０は、インジェクタにおける燃料噴射態様等を、燃費を優先した低燃費・低排ガス運転モード（以下、「通常運転時」と称する）、又は、ＰＭフィルタ４２を強制再生する強制再生運転モード等に切り替え可能に構成されている。
【００２０】
尚、本実施形態に係るエンジン１０は、４気筒エンジンであり、吸気通路２０から吸気マニホルドを介して四つの燃焼室に分岐し、当該四つの燃焼室から排気マニホルドを介して排気通路３０に合流する構成となっている。
【００２１】
吸気通路２０は、上流側の吸気口２０ａから新気（空気）を吸入し、エンジン１０に当該新気を供給する吸気管である。吸気通路２０には、上流側の吸気口２０ａから燃焼室にかけて、順に、エアクリ−ナ２１、ターボチャージャ２２のコンプレッサ、及び吸気スロットルバルブ２３等が設けられている。
【００２２】
排気通路３０は、エンジン１０から排出される燃焼後の排気ガスを、車両１の外部に排出する排気管である。排気通路３０には、エンジン１０から下流側に向かって、順に、ＥＧＲ装置３１、ターボチャージャ２２のタービン、及び排気浄化装置４０等が設けられている。
【００２３】
排気浄化装置４０は、酸化触媒４１、ＰＭフィルタ４２、差圧センサ４３、酸素濃度センサ４４、温度センサ４５、及び、ＥＣＵ（Electronic Control Unit）４６を含んで構成される。
【００２４】
酸化触媒４１は、排気ガス中に含まれる未燃焼燃料の炭化水素や一酸化窒炭素を酸化して除去する。酸化触媒４１は、白金や酸化セリウム等の公知の任意の酸化触媒であってよく、例えば、コージェライトや炭化ケイ素等の多孔質セラミックが用いられ、これらに触媒成分を担持して形成されている。
【００２５】
酸化触媒４１は、排気通路３０のＰＭフィルタ４２の上流側に隣接して配設されている。そして、酸化触媒４１は、ＰＭフィルタ４２の強制再生時には、エンジン１０側から排出される未燃焼燃料の炭化水素（ＨＣ）を酸化して、当該酸化熱により、排気ガスを高温化するようにも機能する。
【００２６】
ＰＭフィルタ４２（本発明の「フィルタ」に相当）は、排気ガス中に含まれるＰＭを捕捉する。ＰＭフィルタ４２としては、典型的には、コージェライトや炭化ケイ素の多孔質セラミックが素材として用いられる。ＰＭフィルタ４２は、例えば、当該多孔質セラミックで形成した捕集壁中を排気ガスが通過するように入口と出口を交互に目封じしたハニカム構造を呈している。
【００２７】
差圧センサ４３は、ＰＭフィルタ４２の前後差圧を検出する。酸素濃度センサ４４は、酸化触媒４１の入口側にて、排気ガスの酸素濃度を検出する。温度センサ４５は、酸化触媒４１の入口側にて、排気ガスの温度を検出する。これらのセンサは、公知の任意のセンサで実現され得る。
【００２８】
差圧センサ４３、酸素濃度センサ４４、及び、温度センサ４５は、それぞれ、自身が検出したセンサ値に係るセンサ情報（以下、「センサ情報」と略称する）をＥＣＵ４６に送信する。
【００２９】
ＥＣＵ４６は、ＰＭフィルタ４２の再生制御等を行う電子制御ユニットを含む。ＥＣＵ４６は、例えば、ＣＰＵ（Central Processing Unit）、ＲＯＭ（Read Only Memory）、ＲＡＭ（Random Access Memory）、入力ポート、及び出力ポート等を含んで構成されている。尚、ＥＣＵ４６は、車両１の各部と通信することで、これらを制御したり、これらからデータを受信したりする。又、ＥＣＵ４６は、車両１に設けられた各種センサ（本実施形態では、差圧センサ４３、酸素濃度センサ４４、及び、温度センサ４５）からセンサ情報を取得して、排気浄化装置４０や車両１の各部の状態を検出している。図１中の点線矢印は、信号経路を示す。
【００３０】
［ＥＣＵの構成］
ここで、図２、図３を参照して、本実施形態に係る排気浄化装置４０のＥＣＵ４６（本発明の「推定装置」に相当する）の構成の一例について、説明する。
【００３１】
図２は、本実施形態に係るＥＣＵ４６の構成を示すブロック図である。
【００３２】
ＥＣＵ４６は、第１のＰＭ量推定部４６ａ、第２のＰＭ量推定部４６ｂ、フィルタ再生制御部４６ｃ、及び、アッシュ量推定部４６ｄを備えている。尚、図２中の矢印は、信号経路を示す。
【００３３】
第１のＰＭ量推定部４６ａ（本発明の「第１の微粒子状物質量推定部」に相当）は、差圧センサ４３が示すＰＭフィルタ４２の前後差圧から、ＰＭフィルタ４２中に堆積するＰＭに起因する圧力損失を算出し、これによって、ＰＭフィルタ４２中に堆積するＰＭ堆積量を推定する。
【００３４】
ＰＭフィルタ４２に堆積したＰＭは、排気ガスの流れを妨げるため、ＰＭフィルタ４２にＰＭが堆積につれて、ＰＭフィルタ４２の前後差圧も大きくなる。一方、ＰＭフィルタ４２のフィルタ再生を実行した際には、ＰＭフィルタ４２に堆積したＰＭが、燃焼除去されるため、ＰＭフィルタ４２の前後差圧は小さくなる。
【００３５】
第１のＰＭ量推定部４６ａは、このようにＰＭフィルタ４２の前後差圧とＰＭフィルタ４２に堆積したＰＭ堆積量との間の相関に基づいて、ＰＭフィルタ４２の前後差圧からＰＭフィルタ４２のＰＭ堆積量を推定する。尚、ＰＭフィルタ４２の前後差圧とＰＭフィルタ４２に堆積するＰＭ堆積量との対応関係は、例えば、予め実験等によって求められ、ＥＣＵ４６等の記憶部（例えば、ＲＯＭ）に記憶されている。
【００３６】
但し、差圧センサ４３が示すＰＭフィルタ４２の前後差圧は、ＰＭフィルタ４２に堆積したアッシュに起因した圧力損失も含むため、第１のＰＭ量推定部４６ａが推定するＰＭ堆積量は、アッシュに起因した誤差成分を含むものとなっている。
【００３７】
第２のＰＭ量推定部４６ｂ（本発明の「第２の微粒子状物質量推定部」に相当）は、エンジン１０の運転状態の推移に基づいて、ＰＭフィルタ４２に堆積するＰＭ堆積量を推定する。
【００３８】
第２のＰＭ量推定部４６ｂは、通常時（フィルタ再生時以外の場合を表す。以下同じ）には、エンジン１０の運転状態（例えば、燃料噴射量、エンジン回転数、エンジン負荷、及び、ＥＧＲ率等）に基づいて、単位時間当たりにエンジン１０から排出されるＰＭ量を算出する。そして、第２のＰＭ量推定部４６ｂは、単位時間当たりにエンジン１０から排出されるＰＭ量を積算することにより、現時点におけるＰＭフィルタ４２に堆積するＰＭ堆積量を算出する。
【００３９】
又、第２のＰＭ量推定部４６ｂは、フィルタ再生時には、エンジン１０の運転状態に基づいて（例えば、排気ガスの温度、排気ガスの酸素濃度）、単位時間当たりにＰＭフィルタ４２から燃焼除去されるＰＭ量を算出する。そして、第２のＰＭ量推定部４６ｂは、フィルタ再生開始時にＰＭフィルタ４２に堆積していたＰＭ堆積量から、単位時間当たりに燃焼除去されるＰＭ量を減算していくことにより、現時点におけるＰＭフィルタ４２に堆積するＰＭ堆積量を算出する。
【００４０】
ここで、単位時間当たりにエンジン１０から排出されるＰＭ量、及び、単位時間当たりにＰＭフィルタ４２から燃焼除去されるＰＭ量は、例えば、予め実験等により求められ、エンジン１０の運転状態と関連付けて、ＥＣＵ４６の記憶部（例えば、ＲＯＭ）等に記憶されている。
【００４１】
フィルタ再生制御部４６ｃは、ＰＭフィルタ４２中のＰＭ堆積量が所定の閾値を超えた場合に、ＰＭフィルタ４２の強制再生を実行する。フィルタ再生制御部４６ｃは、ＰＭフィルタ４２を強制再生する際には、例えば、エンジン１０に対して制御信号を出力して、エンジン１０を強制再生運転モードで運転させることによって、ＰＭフィルタ４２の強制再生を行う。
【００４２】
強制再生運転モードにおいては、例えば、エンジン１０は、インジェクタから噴射する燃料噴射量を増加したり、マルチ噴射を実行したりして、排気ガス中のＨＣ（炭化水素）量を増加させる。これによって、酸化触媒４１で当該ＨＣを酸化させ、酸化触媒４１でのＨＣ酸化熱を利用して、排気ガスを６００℃程度まで昇温させる。これにより、ＰＭフィルタ４２を加熱し、当該ＰＭフィルタ４２中のＰＭを、排気ガス中のＯ２を用いて燃焼除去する。
【００４３】
但し、強制再生の手法としては、従来公知の種々の手法を適用することが可能である。例えば、車両１が排気管インジェクタを搭載している場合には、フィルタ再生制御部４６ｃは、エンジン１０にて追加燃料を噴射させる代わりに、又は、これと共に、当該排気管インジェクタにて追加燃料を噴射させてもよい。
【００４４】
尚、ここでは、フィルタ再生制御部４６ｃは、ＰＭフィルタ４２を強制再生するか否かを判断する際には、第１のＰＭ量推定部４６ａにより推定されたＰＭフィルタ４２中のＰＭ積積量又は第２のＰＭ量推定部４６ｂにより推定されたＰＭフィルタ４２中のＰＭ堆積量のいずれの値を用いてもよい。但し、第１のＰＭ量推定部４６ａによるＰＭ堆積量の推定方法及び第２のＰＭ量推定部４６ｂによるＰＭ堆積量の推定方法それぞれの特性に鑑みて、フィルタ再生制御部４６ｃは、ＰＭフィルタ４２中のＰＭ堆積量を把握するタイミングに応じて、選択的に、第１のＰＭ量推定部４６ａに推定されたＰＭ堆積量又は第２のＰＭ量推定部４６ｂに推定されたＰＭ堆積量のいずれか一方の値を用いてもよい。
【００４５】
アッシュ量推定部４６ｄは、第１のＰＭ量推定部４６ａにより推定されるＰＭ堆積量と、  第２のＰＭ量推定部４６ｂにより推定されるＰＭ堆積量と、の差分値に基づいて、ＰＭフィルタ４２に堆積するアッシュ量を推定する。そして、アッシュ量推定部４６ｄは、ＰＭフィルタ４２に堆積するアッシュ量が過剰となった場合には、車両ＥＣＵ（図示せず）等に報知する。
【００４６】
アッシュ量推定部４６ｄは、典型的には、ＰＭフィルタ４２の再生が完了した時点において、第１のＰＭ量推定部４６ａ及び第２のＰＭ量推定部４６ｂそれぞれにより推定されるＰＭ堆積量に基づいて、ＰＭフィルタ４２に堆積するアッシュ量を推定する。
【００４７】
図３は、第１のＰＭ量推定部４６ａ及び第２のＰＭ量推定部４６ｂそれぞれにより推定されるＰＭ堆積量の推移を示す図である。尚、図３のＴ１は、ＰＭフィルタ４２の再生が完了した時点を表している。
【００４８】
図３に示すように、第１のＰＭ量推定部４６ａに推定されるＰＭ堆積量（点線Ｌ１）は、ＰＭフィルタ４２に堆積するアッシュを加味した値となるため、第２のＰＭ量推定部４６ｂに推定されるＰＭ堆積量（実線Ｌ２）よりも大きい値となる。従って、第１のＰＭ量推定部４６ａにより推定されるＰＭ堆積量から第２のＰＭ量推定部４６ｂにより推定されるＰＭ堆積量を減算した値に基づいて、ＰＭフィルタ４２に堆積するアッシュ量を推定することができる。
【００４９】
この際、アッシュ量推定部４６ｄは、例えば、ＥＣＵ４６の記憶部（例えば、ＲＯＭ）等に予め記憶された第１のＰＭ量推定部４６ａにより推定されるＰＭ堆積量と第２のＰＭ量推定部４６ｂにより推定されるＰＭ堆積量との差分値とＰＭフィルタ４２に堆積するアッシュ量とが関連付けて記憶されたデータに基づいて、アッシュ量を推定する。尚、ＥＣＵ４６の記憶部には、アッシュ量が過多であると判定するための基準値のみが記憶されていてもよい。
【００５０】
但し、図３に示すように、第１のＰＭ量推定部４６ａの推定精度、及び第２のＰＭ量推定部４６ｂの推定精度は、それぞれ、エンジン１０の運転状態又はＰＭフィルタ４２に堆積するＰＭ堆積量等に依拠して異なっている。この点、ＰＭフィルタ４２の再生が完了した時点においては、ＰＭフィルタ４２中のＰＭ堆積量は、通常、ゼロとなるため、第１のＰＭ量推定部４６ａ及び第２のＰＭ量推定部４６ｂいずれの推定精度も最も高い状態となる。かかる観点から、アッシュ量推定部４６ｄは、ＰＭフィルタ４２の再生が完了した時点において、第１のＰＭ量推定部４６ａ及び第２のＰＭ量推定部４６ｂそれぞれにより推定されたＰＭ堆積量に基づいて、ＰＭフィルタ４２に堆積するアッシュ量を推定する。
【００５１】
尚、ＥＣＵ４６の上記した各機能は、例えば、ＣＰＵがＲＯＭ、ＲＡＭ等に記憶された制御プログラムや各種データを参照することによって実現される。但し、当該機能は、ソフトウェアによる処理に限られず、専用のハードウェア回路によっても実現できることは勿論である。
【００５２】
［ＥＣＵの動作］
次に、図４を参照して、本実施形態に係るＥＣＵ４６の動作の一例について説明する。尚、ここでは、ＰＭフィルタ４２を強制再生するためのＥＣＵ４６の動作についてのみ説明する。
【００５３】
図４は、本実施形態に係るＥＣＵ４６の動作を示すフローチャートである。図４に示すフローチャートは、例えば、ＥＣＵ４６がコンピュータプログラムに従って、所定間隔（例えば、１００ｍｓ毎）で実行するものである。
【００５４】
ステップＳ１において、ＥＣＵ４６は、ＰＭフィルタ４２の強制再生が完了した直後か否かを判定する。ここで、ＰＭフィルタ４２の強制再生が完了した直後である場合（Ｓ１：ＹＥＳ）、ＥＣＵ４６は、ステップＳ２に処理を進める。一方、ＰＭフィルタ４２の強制再生が完了した直後でない場合（Ｓ１：ＮＯ）、ＥＣＵ４６は、図４の一連のフローの処理を終了する。
【００５５】
ステップＳ２において、ＥＣＵ４６は、第１のＰＭ量推定部４６ａによって、ＰＭフィルタ４２中のＰＭ堆積量を推定する。
【００５６】
ステップＳ３において、ＥＣＵ４６は、第２のＰＭ量推定部４６ｂによって、ＰＭフィルタ４２中のＰＭ堆積量を推定する。
【００５７】
ステップＳ４において、ＥＣＵ４６は、第１のＰＭ量推定部４６ａによって推定されたＰＭ堆積量と、第２のＰＭ量推定部４６ｂによって推定されたＰＭ堆積量との差分値を算出し、当該差分値が閾値以上であるか否かを判定する。そして、当該差分値が閾値以上である場合（Ｓ４：ＹＥＳ）、ＥＣＵ４６は、ステップＳ５に処理を進める。一方、当該差分値が閾値未満である場合（Ｓ４：ＮＯ）、ＥＣＵ４６は、図４の一連のフローの処理を終了する。
【００５８】
ステップＳ５において、ＥＣＵ４６は、例えば、車両ＥＣＵに、ＰＭフィルタ４２に堆積するアッシュ量が過多である旨を報知する。尚、車両ＥＣＵは、ＥＣＵ４６から当該報知を受けた場合、車両１のインストルメントパネル等にその旨を表示し、搭乗者に対して報知する。
【００５９】
本実施形態に係るＥＣＵ４６は、以上のような処理によって、ＰＭフィルタ４２中に過剰にアッシュが堆積することを抑制する。
【００６０】
尚、上記では、ＥＣＵ４６（アッシュ量推定部４６ｄ）の報知タイミングの一例として、強制再生完了後において、第１のＰＭ量推定部４６ａにより推定されたＰＭ堆積量と、第２のＰＭ量推定部４６ｂにより推定されたＰＭ堆積量と、の差分値が閾値以上である際を示した。但し、より正確を期するため、ＥＣＵ４６（アッシュ量推定部４６ｄ）は、第１のＰＭ量推定部４６ａにより推定されたＰＭ堆積量と、第２のＰＭ量推定部により推定されたＰＭ堆積量４６ｂと、の差分値が閾値以上であると判定した場合、一旦、ＰＭフィルタ４２の手動再生を実行させる構成としてもよい。
【００６１】
具体的には、ＥＣＵ４６（アッシュ量推定部４６ｄ）は、第１のＰＭ量推定部４６ａにより推定されたＰＭ堆積量と、第２のＰＭ量推定部４６ｂにより推定されたＰＭ堆積量と、の差分値が閾値以上である場合（図４のステップＳ４：ＹＥＳ）、車両１のインストルメントパネルに配設された手動再生ランプを点灯させる。そして、運転者が、ＰＭフィルタ４２の手動再生を実行した後に、再度、第１のＰＭ量推定部４６ａにより推定されたＰＭ堆積量と、第２のＰＭ量推定部４６ｂにより推定されたＰＭ堆積量と、の差分値を算出し、その際の差分値が閾値以上である場合には、搭乗者に対してアッシュ量が過多である旨を報知する態様とすればよい。これによって、ＰＭフィルタ４２に残存する燃え残りのＰＭに起因して、誤報知してしまうことを抑制することができる。
【００６２】
［効果］
以上のように、本実施形態に係るＥＣＵ４６（推定装置）は、差圧センサ４３の検出値から推定されるＰＭ堆積量と、エンジン１０の運転状態の推移から推定されるＰＭ堆積量と、の差分値に基づいて、ＰＭフィルタ４２に堆積するアッシュ量を推定する。
【００６３】
従って、本実施形態に係るＥＣＵ４６によれば、簡易な手法で、ＰＭフィルタ４２に堆積するアッシュ量を推定することができる。又、これによって、ＰＭフィルタ４２に堆積するアッシュ量が過多となった状態を正確に検出することが可能である。これによって、車両の搭乗者にＰＭフィルタ４２の交換時期又はアッシュ洗浄時期を、正確に報知することが可能である。
【００６４】
尚、本実施形態に係るＥＣＵ４６によれば、特に、ＰＭフィルタ４２に堆積するＰＭ堆積量を推定するロジックのみを用いて、アッシュ量を推定することができるため、アッシュ量を推定するロジックを作成するための開発工数の削減、及びＥＣＵ４６における演算負荷の軽減に資する点で、好適である。
【００６５】
又、本実施形態に係るＥＣＵ４６は、アッシュ量を推定する際、ＰＭフィルタ４２の再生が完了した直後に推定されたＰＭ堆積量を用いるため、より高精度にアッシュ量を推定することが可能となる。
【００６６】
（その他の実施形態）
本発明は、上記実施形態に限らず、種々に変形態様が考えられる。
【００６７】
上記実施形態では、ＥＣＵ４６の構成の一例として、第１のＰＭ量推定部４６ａ、第２のＰＭ量推定部４６ｂ、フィルタ再生制御部４６ｃ、及びアッシュ量推定部４６ｄの機能が一のコンピュータによって実現されるものとして記載したが、複数のコンピュータによって実現されてもよいのは勿論である。例えば、アッシュ量推定部４６ｄの機能とフィルタ再生制御部４６ｃの機能は、それぞれ別個のＥＣＵに搭載されてもよい。
【００６８】
又、上記実施形態では、排気浄化装置４０を適用する車両１の一例として、ディーゼルエンジン車両に適用した態様ついて説明する。但し、本発明に係る排気浄化装置４０は、ガソリンンジン車両にも適用し得る。
【００６９】
又、上記実施形態では、内燃機関の排気浄化装置４０の一例として、車両に適用する態様を示した。しかしながら、本発明に係る排気浄化装置４０は、車両に限らず、船舶や航空機等、その他の内燃機関を備える装置にも適用し得るのは勿論である。
【００７０】
以上、本発明の具体例を詳細に説明したが、これらは例示にすぎず、請求の範囲を限定するものではない。請求の範囲に記載の技術には、以上に例示した具体例を様々に変形、変更したものが含まれる。
【産業上の利用可能性】
【００７１】
本開示に係る排気浄化装置の推定装置によれば、ＰＭフィルタ中に堆積するアッシュ量を簡易に、且つ、正確に推定することが可能である。
【符号の説明】
【００７２】
１  車両
１０  エンジン
２０  吸気通路
２１  エアクリーナ
２２  ターボチャージャ
２３  吸気スロットルバルブ
３０  排気通路
３１  ＥＧＲ装置
４０  排気浄化装置
４１  酸化触媒
４２  ＰＭフィルタ
４３  差圧センサ
４４  酸素濃度センサ
４５  温度センサ
４６  ＥＣＵ（推定装置）
４６ａ  第１のＰＭ量推定部
４６ｂ  第２のＰＭ量推定部
４６ｃ  フィルタ再生制御部
４６ｄ  アッシュ量推定部
【図１】
2020051375.tif 000003
【図２】
2020051375.tif 000004
【図３】
2020051375.tif 000005
【図４】
2020051375.tif 000006